(57)【要約】【課題】  物品の出し入れを容易に行うことができるクローゼットを提供することを課題とする。【解決手段】    左右に立設された一対の側面部材２１と、左右の側面部材２１を連結する架設部材２２と、側面部材間に設けられた棚部材２５と、を備え、クローゼット本体２の前面及び後面に開口部が設けられ、クローゼット本体２の前面開口部２ａ及び後面開口部２ｂに、開閉自在なカーテン３が設けられており、各カーテン３は、棚部材２５を基準に上下に分割されている。【選択図】      図４
2006034700.tif 000002
【特許請求の範囲】
【請求項１】
左右に立設された側面部材と、前記左右の側面部材を連結する架設部材と、前記側面部材間に設けられた棚部材と、を備え、
クローゼット本体の前面及び後面に開口部が設けられ、前記クローゼット本体の前面開口部及び後面開口部に、開閉自在なカーテンが設けられており、前記各カーテンは、前記棚部材を基準に上下に分割されていることを特徴とするクローゼット。
【請求項２】
前後一対の支柱からなり且つ左右に立設された側面部材と、前記左右の側面部材を連結する架設部材と、を備え、
クローゼット本体の前面及び後面に開口部がそれぞれ設けられ、前記クローゼット本体の前面開口部及び後面開口部に、開閉自在なカーテンが設けられており、前記各支柱は上下方向に伸縮可能であることを特徴とするクローゼット。
【発明の詳細な説明】
【技術分野】
【０００１】
本発明は、部屋などの空きスペースに設置して、衣服やバッグなどを収納できるクローゼットに関する。
【背景技術】
【０００２】
従来、部屋の空きスペースに衣服、バッグ、小物、ふとん、プラスチックケースなどの物品を整理収納するために、簡易構造のクローゼットが知られている。
この種のクローゼットとしては、例えば、特開２００３−１４４２４７記載のものがある。該公報のクローゼットは、左右に立設された一対の側部材と側部材の間に水平に配置された棚部材及びハンガー掛部とを備え、一対の側面部材間に設けられた前面開口部に、アコーディオンカーテンが設けられた構造からなる。
かかるクローゼットは、その背面部を部屋の壁面に当接させて設置し、アコーティオンカーテンを開けることにより、前面開口部から衣服などを出し入れすることができる。
【０００３】
しかしながら、上記従来のクローゼットは、衣服などを出し入れする開口部が前面のみであるため、奥側に収納する物品を出し入れし難いという問題点がある。特に、クローゼットの奥行きを長く設計した場合には、物品が前後に重なり状となって収納されるため、かかる問題点が顕著である。
【０００４】
【特許文献１】特開２００３−１４４２４７
【発明の開示】
【発明が解決しようとする課題】
【０００５】
本発明は、上記の点に鑑み、物品の出し入れを容易に行うことができるクローゼットを提供することを課題とするものである。
【課題を解決するための手段】
【０００６】
そこで、本発明は、左右に立設された側面部材と、左右の側面部材を連結する架設部材と、側面部材間に設けられた棚部材と、を備え、クローゼット本体の前面及び後面に開口部が設けられ、クローゼット本体の前面開口部及び後面開口部に、開閉自在なカーテンが設けられており、各カーテンは、棚部材を基準に上下に分割されているクローゼットを提供する。
【０００７】
かかるクローゼットは、クローゼット本体の前面及び後面に、収納する物品を出し入れ可能な開口部が設けられているので、両面から収納する物品を出し入れでき、又、両開口部には開閉自在なカーテンが設けられているので、収納物品を隠し且つ粉塵などの付着を防止できる。さらに、かかる前面開口部及び後面開口部に設けられたカーテンは、棚部材を基準に上下にそれぞれ分割されているので、棚部材で仕切られた上下の収納空間部を個々のカーテンで開閉することができる。
【０００８】
さらに、本発明の第２の手段は、前後一対の支柱からなり且つ左右に立設された側面部材と、左右の側面部材を連結する架設部材と、を備え、クローゼット本体の前面及び後面に開口部がそれぞれ設けられ且つクローゼット本体の前面開口部及び後面開口部に、開閉自在なカーテンが設けられており、各支柱は上下方向に伸縮可能であるクローゼットを提供する。
【０００９】
かかるクローゼットは、かかるクローゼットは、クローゼット本体の前面及び後面に、収納する物品を出し入れ可能な開口部が設けられているので、両面から収納する物品を出し入れでき、又、両開口部には開閉自在なカーテンが設けられているので、収納物品を隠し且つ粉塵などの付着を防止できる。また、各支柱が上下に伸縮可能であるため、設置する際に、部屋の天井面の凹凸に合わせて支柱を上下させ、且つ該支柱の上端にて天井面を突張ることにより、クローゼットを安定的に設置することができる。
【発明の効果】
【００１０】
本発明によれば、クローゼット本体に前面開口部及び後面開口部が設けられ且つ該前後面開口部にそれぞれ開閉自在なカーテンが設けられているので、奥側の物品が出し入れし易く、又、物品への埃や粉塵の付着を防止できるクローゼットを提供できる。また、棚部材で仕切られた上下の収納空間部を個々のカーテンで開閉でき、前後面から上下の収納部に個別に部一品を出し入れすることができる。
さらに、支柱が上下に伸縮可能に設けられているクローゼットは、安定的に設置することができる。
【発明を実施するための最良の形態】
【００１１】
以下、本発明を図面を参照しつつ説明する。
図１は、本発明に係るクローゼットを示す正面図である。図２は、同背面図である。図３は、同全体斜視図である（但し、両側面カーテンは図示していない）。図４は、同使用状態図である（但し、前面カーテンの左半分、一方の側面カーテン及び後面カーテンについては、二点鎖線で示している）。図５は、クローゼット本体（各カーテンを付けていない状態のクローゼット）を示す斜視図である。図６は、同正面図、図７は、同側面図、図８は、同平面図である。図９は、カーテン用の取付レールのみを実線で示したクローゼット本体を示す斜視図である。
【００１２】
図１〜９に於いて、１は、クローゼット本体２の前面開口部２ａ及び後面開口部２ｂに、開閉自在なカーテン３がそれぞれ設けられたクローゼットを示す。
クローゼット本体２は、図５〜図９に示すように、立設された左右一対の側面部材２１，２１と、この側面部材２１を連結する架設部材２２とを有し、側面部材２１，２１間に物品を収容する収納空間部２３が確保され、且つ前後面から該収納空間部２３に通じるように、前面開口部２ａ及び後面開口部２ｂが形成されている。
具体的には、側面部材２１は、前後一対の支柱４１と、この支柱４１を連結する間隔保持部材４２とを備えている。支柱４１は、中入れ式の上下２本の縦棒４１１，４１２（金属製の丸パイプなど）からなる。上方縦棒４１１の上端部及び下方縦棒４１２の下端部には、ネジ作用によって出退可能なアジャスター４３がそれぞれ設けられている。上方縦棒４１１のアジャスター４３は、クローゼット１の設置時、部屋の天井などに接地させ、下方縦棒４１２のアジャスター４３は、部屋の床面に接地させる。
一方、下方縦棒４１２の上端部には、上方縦棒４１１が出退可能に挿入されており、該上方縦棒４１１は、押圧止め具４４を介して所望位置で固定することができるようになっている。従って、クローゼット本体２は、支柱４１を上下方向に伸縮させることにより、任意に上下高さを変えることができる。
【００１３】
左右一対の側面部材２１の間には、架設部材２２として、複数本の棒状体（金属製の丸パイプなど）が並設された棚部材２５が架け渡されている。該棚部材２５は、支柱の下方縦棒４１２の上端部近傍に連結されており、棚部材２５を介して収納空間部２３は上下に２分割されている。
さらに、前方側の上方縦棒４１１の上端部近傍及び下方縦棒４１２の上端部近傍には、カーテン３を吊り下げる取付レール２６が架け渡されており、後方側の上方縦棒４１１の上端部近傍及び下方縦棒４１２の上端部近傍にも同様に、取付レール２６が架け渡されている。各取付レール２６は、棒状体（金属製の丸パイプなど）からなり、図１０に示すように、外側へ突出した突起片２７を介して上方縦棒４１１及び下方縦棒４１２に連結されている。尚、この取付レール２６も架設部材として機能している。
棚部材２６及び取付レール２６は、何れも左右方向に伸縮可能に構成されており、従って、クローゼット本体２は、任意に左右の幅を変えることができる。
尚、２８は、荷重を支えるため、棚部材の中途部に設けられた金属製の角パイプなどからなる補助支柱を示し、２９は、下方の収納空間部に於いて、左右方向に設けられた衣服用のハンガー棒を示し、前後に一対設けられている。
【００１４】
クローゼット本体２に設けられたカーテン３は、開閉可能なものであれば特に限定されず、天然繊維、剛性繊維などからなる布地、合成樹脂製シート、アコーディオンカーテン、板状体が複数連なったブラインド状のものなど各種のものを用いることができる。比較的安価であるという点で、布地や合成樹脂製シートを用いることが好ましい。
カーテン３は、図１〜４に示すように、前面開口部２ａ及び後面開口部２ｂを閉塞するようにそれぞれ設けられている。具体的には、前面開口部２ａを開閉する前面カーテン３１は、棚部材２５を基準にして上下に２分割された上方前面カーテン３１１と下方前面カーテン３１２からなる。後面開口部２ｂを閉塞する後面カーテン３２も同様に、棚部材２５を基準にして上下に２分割された上方後面カーテン３２１と下方後面カーテン３２２からなる。各カーテン３１１，３１２，３２１，３２２は、それぞれ前後上下に設けられた各取付レール２６，…に、複数の吊り具３３を介して、左右に移動可能に吊り下げられている。
【００１５】
上方前面カーテン３１１及び上方後面カーテン３２１は、上方縦棒４１１を最上方にまで伸張させた状態に於いて、下方前面カーテン３１２及び下方後面カーテン３２２の上方側に重なり合う程度の長さ（丈）に形成されている。
但し、図示した前後面カーテン３１，３２は、左右方向に２枚のカーテン地を並べ且つ中央部分で開閉する左右開き式のものを例示しているが、１枚のカーテン地を用いた片開き式のものでもよく、又、左右方向に３枚以上のカーテン地を並べて開閉する複開き式のものでもよい。
３５は、クローゼット本体２の両側面開口部を閉塞する側面カーテンを示し、前後面カーテン３１，３２と同様に、上下にそれぞれ２分割されている。但し、図示した側面カーテン３５は、その上方隅部を各支柱４１に取付けている固定吊り下げ式のもの例示しているが、前後面カーテン３１，３２と同様にして、吊り具を介して前後に移動可能に吊り下げてもよい。尚、両側面カーテン３５は、必須なものではなく、必要に応じて省くこともできる。
一方、クローゼット本体２の天面開口部には、カーテンなどの閉塞部材が設けられておらず、開放状態となっている。
【００１６】
上記構成からなるクローゼット１は、図４に示すように、収納空間部２３のハンガー棒２９に衣服などを掛けて使用される。かかるクローゼット１は、前後面開口部２ａ，２ｂが設けられ且つそれぞれにカーテン３に設けられているので、前後両面の何れからでも物品を出し入れすることができる。従って、クローゼット１の奥行き（前後方向の長さ）を長くしても物品を簡単に出し入れでき、又、物品を整理収納することができるので、収納能力に優れている。また、前後面開口部２ａ，２ｂにカーテン３が設けられているので、収納した物品が外から見えることはなく、粉塵などを防止できる
尚、本発明のクローゼット１は、部屋の中央部の任意の場所に設置することにより、部屋の間仕切りとして使用することもできる。
さらに、前後面開口部２ａ，２ｂに設けられたカーテン３は、棚部材２５を基準に上下にそれぞれ分割されているので、棚部材２５で仕切られた上下の収納空間部２３をカーテン３で個別に開閉することができる。
また、クローゼット本体２の天面開口部には、カーテンなどのカバーが設けられておらず且つ各支柱４１が上下に伸縮可能であるため、例えば、凹凸を有する天井に設置する際に、図１１に示すように、前方左右の支柱４１の上方縦棒４１１を下方に下げて天井の突起面１００に当接させ、且つ後方左右の支柱４１の上方縦棒４１１を上方に上げて天井の凹み面１０１に当接させることにより、安定的に設置することができる。
【００１７】
次に、図１２〜図１６は、本発明のクローゼット１の変形例を示している。この変形例に係るクローゼットは、上記実施形態のものに比して、前面開口部２ａ及び後面開口部２ｂの間口が狭く形成されている。各部材の構成は上記と同一であるからその説明は省略し、同様の部材についてその図番を図示している。
【００１８】
図１７（ａ）は、カーテン用の取付レール２６が支柱４１の中心部に設けられている変形例である。また、図１７（ｂ）は、上方の取付レール２６が突起片２７を介して支柱４１の外側に設けられ、且つ下方の取付レール２６が支柱４１の中心部に設けられている変形例である。図１８（ａ）は、下方の取付レール２６が間隔保持部材４２に設けられている変形例である。図１８（ｂ）は、上方の取付レール２６が支柱４１の中心部に設けられ、且つ下方の取付レール２６が突起片２７を介して支柱４１の外側に設けられている変形例である。このように取付レール２６は支柱４１又は支柱の近傍の適宜位置に設けることができる。
【図面の簡単な説明】
【００１９】
【図１】本発明のクローゼットの一実施形態を示す正面図。
【図２】同背面図。
【図３】側面カーテンを不図示とした同斜視図。
【図４】一部のカーテンを二点鎖線で簡易に図示した同使用状態図。
【図５】クローゼット本体の一実施形態を示す斜視図。
【図６】同正面図。
【図７】同側面図。
【図８】上方から見た同平面図。
【図９】一部を点線で図示した同斜視図。
【図１０】同一部省略要部拡大図。
【図１１】本発明のクローゼットの設置状態を示す側面図。但し、側面カーテンを不図示としている。
【図１２】クローゼット本体の他の実施形態を示す斜視図。
【図１３】同正面図。
【図１４】同側面図。
【図１５】クローゼットの他の実施形態を示す正面図。
【図１６】側面カーテンを不図示とした同斜視図。
【図１７】取付レールの他の実施形態を示す一部省略要部拡大図。
【図１８】取付レールの他の実施形態を示す一部省略要部拡大図。
【符号の説明】
【００２０】
１…クローゼット、２…クローゼット本体、２ａ…前面開口部、２ｂ…後面開口部、２１…側面部材、２２…架設部材、２３…収納空間部、２５…棚部材、２６…取付レール、２７…突起片、２８…補助支柱、２９…ハンガー棒、４１…支柱、４１１…上方縦棒、４１２…下方縦棒、４２…間隔保持部材、４３…アジャスター、４４…止め具、３…カーテン、３１…前面カーテン、３１１…上方前面カーテン、３１２…下方前面カーテン、３２…後面カーテン、３２１…上方後面カーテン、３２２…下方後面カーテン、３３…吊り具、３５…側面カーテン
【図１】
2006034700.tif 000003
【図２】
2006034700.tif 000004
【図３】
2006034700.tif 000005
【図４】
2006034700.tif 000006
【図５】
2006034700.tif 000007
【図６】
2006034700.tif 000008
【図７】
2006034700.tif 000009
【図８】
2006034700.tif 000010
【図９】
2006034700.tif 000011
【図１０】
2006034700.tif 000012
【図１１】
2006034700.tif 000013
【図１２】
2006034700.tif 000014
【図１３】
2006034700.tif 000015
【図１４】
2006034700.tif 000016
【図１５】
2006034700.tif 000017
【図１６】
2006034700.tif 000018
【図１７】
2006034700.tif 000019
【図１８】
2006034700.tif 000020